(57)【要約】【課題】導光設備が結合される浴室ユニットであって、メンテナンス性が優れた浴室ユニットを提供する。【解決手段】屋外から光を導入する光ダクトが結合される浴室ユニット１において、天井４を２枚のパネル材５及び６により構成する。そして、パネル材５は浴槽２側に配置し、パネル材６は洗い場３側に配置する。パネル材５には排気口１１を形成し、パネル材６には、光ダクトによって導入された光を放光する放光口１３を形成する。そして、点検口１５を、パネル材５及びパネル材６に跨って形成する。【選択図】図２
2008082091.tif 000002
【特許請求の範囲】
【請求項１】
屋外から光を導入する導光設備が結合される浴室ユニットであって、
前記浴室ユニットの天井に形成された排気口と、
前記天井に形成された点検口と、
前記天井に形成され、前記導光設備により導入された光を前記浴室ユニット内に向けて放光する放光口と、
を備え、
前記排気口から前記放光口に向かう方向において、前記排気口、前記点検口及び前記放光口がこの順に配列されていることを特徴とする浴室ユニット。
【請求項２】
前記浴室ユニットの天井が第１及び第２のパネル材によって構成されており、
前記排気口は前記第１のパネル材に形成されており、
前記放光口は前記第２のパネル材に形成されており、
前記点検口は前記第１及び第２のパネル材に跨って形成されていることを特徴とする請求項１記載の浴室ユニット。
【請求項３】
前記浴室ユニットの天井が第１乃至第３のパネル材によって構成されており、
前記第３のパネル材は、前記第１のパネル材と前記第２のパネル材との間に配置されており、
前記排気口は前記第１のパネル材に形成されており、
前記放光口は前記第２のパネル材に形成されており、
前記点検口は前記第３のパネル材に形成されていることを特徴とする請求項１記載の浴室ユニット。
【請求項４】
前記点検口は、前記排気口と前記放光口との間の領域を除く領域に形成されていることを特徴とする請求項１〜３のいずれか１つに記載の浴室ユニット。
【請求項５】
前記第１のパネル材は、前記浴槽側に配置されており、
前記第２のパネル材は、前記洗い場側に配置されていることを特徴とする請求項１〜４のいずれか１つに記載の浴室ユニット。
【発明の詳細な説明】
【技術分野】
【０００１】
本発明は、浴室ユニットに関し、特に、屋外から光を導入する導光設備が結合される浴室ユニットに関する。
【背景技術】
【０００２】
近年、住宅等の建築物に光ダクトを設ける技術が開発されている。光ダクトとは、建築物の屋外から屋内まで連通し、その内面が光反射面となった筒状の部材であり、屋外の自然光を屋内に導入するものである。建築物にこのような光ダクトを設けることにより、日中の豊富な自然光を室内の照明に利用することができるため、照明コストを節約し、省エネルギー効果及び環境負荷軽減効果を得ることができる。また、室内に自然光を導入することにより、室内の居住性を向上させることができる。
【０００３】
特許文献１には、浴室ユニットに連通された排気ダクトの内部に光ダクトを設けることにより、浴室ユニットに光ダクトを結合する技術が開示されている。この技術においては、排気ダクトの内部に光ダクトを収納しているため、光ダクトにより導入された外光を浴室ユニット内に放光する放光口は、浴室ユニット内の空気を排気ダクトに導入する排気口の内部に設けられるか、又は排気口に隣接して設けられている。
【０００４】
しかしながら、特許文献１に記載された技術においては、光ダクトを排気ダクトの内部に設けているため、光ダクトのメンテナンス、すなわち、点検及び修理等を行うためには、排気ダクトを分解するなどして排気ダクトを開かなくてはならない。また、排気ダクトのメンテナンスを行う場合には、光ダクトが邪魔になる。このように、特許文献１に記載された浴室ユニットは、メンテナンス性が極めて低い。
【０００５】
【特許文献１】実開昭６０−０３３２４０号公報
【発明の開示】
【発明が解決しようとする課題】
【０００６】
本発明の目的は、導光設備が結合される浴室ユニットであって、メンテナンス性が優れた浴室ユニットを提供することである。
【課題を解決するための手段】
【０００７】
本発明の一態様によれば、屋外から光を導入する導光設備が結合される浴室ユニットであって、前記浴室ユニットの天井に形成された排気口と、前記天井に形成された点検口と、前記天井に形成され、前記導光設備により導入された光を前記浴室ユニット内に向けて放光する放光口と、を備え、前記排気口から前記放光口に向かう方向において、前記排気口、前記点検口及び前記放光口がこの順に配列されていることを特徴とする浴室ユニットが提供される。
【発明の効果】
【０００８】
本発明によれば、導光設備が結合され、メンテナンス性が優れた浴室ユニットを実現することができる。
【発明を実施するための最良の形態】
【０００９】
以下、図面を参照しつつ本発明の実施形態について説明する。  
先ず、本発明の第１の実施形態について説明する。  
図１は、本実施形態に係る浴室ユニットが設けられた建築物を例示する模式的断面図であり、  
図２は、本実施形態に係る浴室ユニットを例示する斜視図であり、  
図３は、この浴室ユニットを例示する模式的上面図である。
【００１０】
図１に示すように、本実施形態に係る浴室ユニット１は、建築物、例えば住宅１０１に設置されている。住宅１０１においては、導光設備としての光ダクト１０２が配設されている。光ダクト１０２の一方の端部は、例えば住宅１０１の屋根に設けられた採光部１０３に結合されており、他方の端部は、浴室ユニット１に結合されている。採光部１０３は、透明板からなるドームによって覆われており、砂や埃は通過させないが光は透過させる。光ダクト１０２の内部は中空であり、その内面は光反射面とされている。これにより、光ダクト１０２は、住宅１０１の外部から採光部１０３を介して導入された外光Ｌを、その内面において反射しつつ導光して、浴室ユニット１の内部まで導入する。
【００１１】
図１乃至図３に示すように、浴室ユニット１においては、床の一方の側に浴槽２が設けられており、他方の側が洗い場３となっている。また、浴室ユニット１の天井４は、２枚のパネル材５及び６により構成されている。パネル材５は浴槽２側に配置されており、パネル材６は洗い場３側の配置されており、相互に連結されている。パネル材５及び６の形状は、それぞれ長方形の板状である。
【００１２】
そして、パネル材５には排気口１１が形成されている。また、パネル材５上には、排気口１１を囲むように木製の枠組（図示せず）が設けられており、この枠組上に、排気口１１に連通された排気装置１２が設けられている。排気装置１２は、住宅１０１に配設された排気管１０４に接続されており、排気管１０４は、住宅１０１の外壁において開口している。これにより、排気口１１は、排気装置１２及び排気管１０４を介して住宅１０１の外部に連通されている。排気口１１の形状は例えば正方形であり、一辺の長さは例えば１００乃至１８０ミリメートルである。なお、排気装置１２の替わりに浴室乾燥機を設置してもよく、その場合には、排気口１１の大きさはもっと大きくなる。排気口１１とパネル材５の端縁とは、例えば１００ミリメートル以上離れている。
【００１３】
また、パネル材６には放光口１３が形成されている。放光口１３は、光ダクト１０２により導入された外光Ｌを浴室ユニット１内に放光するための開口部であり、光ダクト１０２に光学的に結合されている。放光口１３の形状は例えば正方形であり、一辺の長さは例えば３００ミリメートルである。また、放光口１３には、例えば透明な樹脂からなる透光板１４が気密的にはめ込まれている。放光口１３とパネル材６の端縁とは、例えば１００ミリメートル以上離れている。
【００１４】
更に、パネル材５及びパネル材６に跨って、点検口１５が形成されている。すなわち、パネル材５におけるパネル材６側の端縁には切込５ａが形成されており、パネル材６におけるパネル材５側の端縁には切込６ａが形成されており、パネル材５とパネル材６とが相互に連結されることにより、切込５ａと切込６ａとが結合して１つの開口部が形成され、点検口１５となっている。例えば、切込５ａの形状及び大きさは、切込６ａの形状及び大きさと等しい。点検口１５は、浴室ユニット１の天井４上に設けられた機能部材、たとえば、排気装置１２などを点検するための開口部であり、点検時に作業者が上半身を乗り出せる程度の大きさとされている。点検口１５の形状は例えば正方形であり、一辺の長さは例えば４５０ミリメートルである。また、点検口１５には点検口蓋１６が着脱可能に設けられており、非点検時には点検口蓋１６によって塞がれている。
【００１５】
このように、排気口１１は浴槽２側に配置されたパネル材５に形成され、放光口１３は洗い場３側に配置されたパネル材６に形成され、点検口１５はパネル材５及び６に跨って形成されているため、浴槽２から洗い場３に向かう方向Ｖにおいて、排気口１１、点検口１５及び放光口１３は、この順に配列されている。また、排気口１１から放光口１３に向かう方向は、方向Ｖと等しい。そして、例えば、点検口１５は、天井４における排気口１１と放光口１３との間の領域を除く領域に配置されており、排気口１１及び放光口１３よりも浴槽２の頭側に配置されている。例えば、排気口１１及び放光口１３はそれぞれパネル材５及び６における浴槽２の足側の領域に配置されており、点検口１５は浴槽２の頭側の領域に配置されている。また、排気口１１、放光口１３及び点検口１５は、相互に例えば１００ミリメートル以上離れている。
【００１６】
なお、浴槽の「頭側」及び「足側」とは、入浴者が浴槽内で通常の入浴姿勢をとったときに、それぞれ入浴者の頭及び足が位置する側である。通常、浴槽の足側の部分には、浴槽内に水を供給するための水栓が設けられており、浴室ユニットの側壁のうち浴槽の足側の面には、シャワーが設けられている。そして、一般的には、この足側の面に鏡が取り付けられている。
【００１７】
一例では、本実施形態に係る浴室ユニット１においては、浴槽２の足側部分のリム上には、水栓２１が設けられている。また、浴室ユニット１の側壁であって、浴槽２の足側の面２２のうち、洗い場３側の領域には、入浴者のほぼ全身が映せるような大型の鏡２３が取り付けられている。そして、例えば、鏡２３の向かって右側の側方には多段の収納棚２４が造り付けられており、鏡２３の向かって左側の側方にはシャワー２５が取り付けられており、鏡２３の下方にはカウンター２６が設けられている。また、面２２における鏡２３よりも上方の領域には、例えば２個の人工照明２７が設けられている。
【００１８】
次に、本実施形態に係る浴室ユニットの動作について説明する。  
図１に示すように、住宅１０１の外部から外光Ｌ、例えば太陽光が、採光部１０３を介して光ダクト１０２の内部に導入される。この外光Ｌは、光ダクト１０２の内面によって繰り返し反射されながら光ダクト１０２内を伝達し、浴室ユニット１の放光口１３から、透光板１４を透過して、浴室ユニット１の内部に照射される。また、排気装置１２が作動することにより、排気口１１及び排気管１０４を介して、浴室ユニット１内の空気が住宅１０１の外部に排出される。
【００１９】
このとき、放光口１３は、洗い場３側に配置されたパネル材６に形成されているため、放光口１３から出射した光は、主として洗い場３に向けて照射される。また、放光口１３はパネル材６における浴槽２の足側の領域に配置されているため、放光口１３から放光された光の大部分は、洗い場３の足側の領域に向けて照射される。
【００２０】
一方、浴室ユニット１の点検作業を行う際には、点検作業者は点検口１５から点検口蓋１６を取り外し、開口された点検口１５から天井４上に上半身を乗り出して、排気装置１２及び光ダクト１０２などの点検作業を行う。
【００２１】
次に、本実施形態の効果について説明する。  
本実施形態においては、排気口１１と放光口１３とが別々に設けられているため、光ダクト１０２と排気管１０４とを相互に独立して配設することができる。このため、光ダクト１０２、排気管１０４、排気装置１２などの点検作業が容易であり、メンテナンス性が高い。
【００２２】
また、本実施形態においては、浴槽２から洗い場３に向かう方向Ｖにおいて、排気口１１、点検口１５及び放光口１３がこの順に配列されているため、点検口１５から排気口１１に向かう方向と、点検口１５から放光口１３に向かう方向とが、相互に異なっている。従って、点検作業者が点検口１５から天井４上に上半身を乗り出したときに、点検作業者と排気装置１２との間に光ダクト１０２が介在することがなく、また、点検作業者と光ダクト１０２との間に排気装置１２が介在することがない。この結果、点検作業者は排気装置１２及び光ダクト１０２に容易に手を伸ばすことができる。このため、本実施形態に係る浴室ユニット１はメンテナンス性が高い。
【００２３】
更に、本実施形態においては、点検口１５が天井４における排気口１１と放光口１３との間の領域を除く領域に配置されているため、点検口１５と排気口１１及び放光口１３との間に、十分な距離を確保することができる。これにより、点検作業者が点検口１５から上半身を乗り出したときに、排気装置１２及び光ダクト１０２との間に適度な距離をとることができ、作業が容易である。すなわち、メンテナンス性が高い。
【００２４】
更にまた、本実施形態においては、天井４が２枚のパネル材５及び６により構成されているため、浴室ユニット１の住宅１０１への搬入性及び住宅１０１内における施工性が良好である。そして、点検口１５がパネル材５及びパネル材６に跨って形成されているため、点検口１５を形成することによるパネル材の強度低下を、パネル材５及び６に分散させることができる。これにより、天井４を２枚のパネル材により構成し、天井４に排気口１１、放光口１３及び点検口１５の３つの開口部を設けても、各パネル材の強度が大きく低下することがなく、天井４全体の強度を確保することができる。これに対して、仮に、天井４を２枚のパネル材により構成した上で、１枚のパネル材に２つ以上の開口部を形成すると、そのパネル材が脆弱になるため、パネル材を厚くするなどの対策が必要となり、コストが増加する。
【００２５】
更にまた、本実施形態においては、放光口１３から出射した光は、洗い場３に向けて照射する。これにより、洗い場３にいる入浴者の身体を暖めることができる。また、放光口１３が浴槽２の足側の領域に配置されているため、放光口１３から放光される外光により、身体などを洗うために洗い場３で鏡２３に向かっている入浴者を、正面から照明することができる。これにより、入浴者が身体などを洗う際の作業性が向上する。
【００２６】
次に、本発明の第２の実施形態について説明する。  
図４は、この浴室ユニットを例示する模式的上面図である。  
図４に示すように、本実施形態に係る浴室ユニット３１においては、排気口１１及び放光口１３はそれぞれパネル材５及び６における浴槽２の頭側の領域に形成されている。また、点検口１５はパネル材５及びパネル材６に跨って形成されており、浴槽２の足側の領域に配置されている。すなわち、点検口１５は、排気口１１と放光口１３との間の領域を除く領域であって、排気口１１及び放光口１３よりも足側の領域に配置されている。本実施形態における上記以外の構成及び動作は、前述の第１の実施形態と同様である。
【００２７】
本実施形態においても、排気口１１と放光口１３とが別々に設けられているため、光ダクト１０２、排気管１０４、排気装置１２などの点検作業が容易である。また、浴槽２から洗い場３に向かう方向Ｖにおいて、排気口１１、点検口１５及び放光口１３がこの順に配列されているため、点検作業者が点検口１５から天井４上に上半身を乗り出したときに、点検作業者と排気装置１２との間に光ダクト１０２が介在することがなく、また、点検作業者と光ダクト１０２との間に排気装置１２が介在することがない。従って、メンテナンス性が高い。
【００２８】
また、本実施形態においても、点検口１５が天井４における排気口１１と放光口１３との間の領域を除く領域に配置されているため、点検口１５と排気口１１及び放光口１３との間に十分な距離を確保することができ、メンテナンス性が高い。  
更に、天井４が２枚のパネル材５及び６により構成されているため、浴室ユニット１の搬入性及び施工性が良好である。そして、点検口１５がパネル材５及びパネル材６に跨って形成されているため、２枚のパネル材５及び６に排気口１１、放光口１３及び点検口１５の３つの開口部を設けても、各パネル材の強度が大きく低下することがない。  
更にまた、本実施形態においては、放光口１３から出射した光は、洗い場３に向けて照射される。これにより、洗い場３にいる入浴者の身体を暖めることができる。
【００２９】
次に、本発明の第３の実施形態について説明する。  
図５は、この浴室ユニットを例示する模式的上面図である。  
図５に示すように、本実施形態に係る浴室ユニット４１においては、天井４が３枚のパネル材５乃至７により構成されている。パネル材５は浴槽２側に配置されており、パネル材６は洗い場３側の配置されており、パネル材７はパネル材５とパネル材６との間に配置されている。すなわち、天井４においては、パネル材５、パネル材７及びパネル材６がこの順に配列されている。そして、パネル材７はパネル材５及び６の双方に連結されている。パネル材５乃至７の形状は、それぞれ長方形の板状である。
【００３０】
そして、排気口１１は浴槽２側のパネル材５に形成されており、放光口１３は洗い場３側のパネル材６に形成されており、点検口１５は中央のパネル材７に形成されている。すなわち、点検口１５は、２枚のパネル材に形成された切込の結合体としてではなく、独立した１つの開口部として形成されている。各開口部とパネル材の端縁とは、例えば１００ミリメートル以上離れている。
【００３１】
また、点検口１５は、排気口１１と放光口１３との間の領域に配置されている。すなわち、排気口１１、点検口１５及び放光口１３は、浴槽２から洗い場３に向かう方向Ｖに沿って、この順に直線状に配列されている。本実施形態における上記以外の構成及び動作は、前述の第１の実施形態と同様である。
【００３２】
本実施形態においては、排気口１１、放光口１３及び点検口１５が相互に異なるパネル材に形成されており、従って、各パネル材には１つの開口部のみが形成されているため、各パネル材の強度が高い。これに対して、仮に、天井４を３枚のパネル材により構成した上で、排気口、放光口及び点検口のうち２つ以上の開口部を１枚のパネル材に形成すると、そのパネル材が脆弱になるため、パネル材を厚くするなどの対策が必要となり、コストが増加する。
【００３３】
また、本実施形態においては、天井４が３枚のパネル材５乃至７により構成されているため、浴室ユニット１の搬入性及び施工性が優れている。この効果は、本実施形態を大型の浴室ユニットに適用する場合に、特に大きい。
【００３４】
更に、本実施形態においても、前述の第１及び第２の実施形態と同様に、放光口１３が洗い場３側に配置されたパネル材６に形成されているため、放光口１３から放光された外光によって、洗い場３にいる入浴者を暖めることができる。また、放光口１３と排気口１１とが別々に設けられているため、光ダクト１０２及び排気管１０４を相互に独立して配設することができる。このため、配設自由度及びメンテナンス性が高い。
【００３５】
なお、本実施形態においても、前述の第１の実施形態と同様に、点検口１５を排気口１１及び放光口１３よりも浴槽２の頭側に設けてもよく、前述の第２の実施形態と同様に、点検口１５を排気口１１及び放光口１３よりも浴槽２の足側に設けてもよい。また、前述の第１及び第２の実施形態において、各パネル材の面積が十分に大きいときは、本実施形態と同様に、排気口、点検口、放光口を直線状に配列してもよい。
【００３６】
以上、本発明の実施形態を参照しつつ、本発明の特徴を説明した。しかし、本発明は、これらの実施形態に限定されるものではなく、前述の各実施形態に係る浴室ユニットを構成するいずれかの要素について、当業者が適宜追加、省略又は設計変更を加えたものであっても、本発明の要旨を備えたものであれば、本発明の範囲に包含される。
【００３７】
例えば、前述の各実施形態においては、排気口を浴槽側のパネル材に形成し、点検口を洗い場側のパネル材に形成する例を示したが、この配置は逆にしてもよい。すなわち、洗い場から浴槽に向かう方向（方向Ｖの逆方向）において、排気口、点検口及び放光口がこの順に配列されていてもよい。これにより、浴槽に向けて外光を照射することができる。また、放光口にはブラケットが取り付けられていてもよい。更に、前述の各実施形態においては、屋外から浴室ユニット内に外光を導入する導光設備が光ダクトである例を示したが、本発明はこれに限定されず、導光設備は例えば光ファイバであってもよい。
【図面の簡単な説明】
【００３８】
【図１】本発明の第１の実施形態に係る浴室ユニットが設けられた建築物を例示する模式的断面図である。
【図２】第１の実施形態に係る浴室ユニットを例示する斜視図である。
【図３】第１の実施形態に係る浴室ユニットを例示する模式的上面図である。
【図４】本発明の第２の実施形態に係る浴室ユニットを例示する模式的上面図である。
【図５】本発明の第３の実施形態に係る浴室ユニットを例示する模式的上面図である。
【符号の説明】
【００３９】
１、３１、４１  浴室ユニット、２  浴槽、３  洗い場、４  天井、５、６、７  パネル材、５ａ、６ａ  切込、１１  排気口、１２  排気装置、１３  放光口、１４  透光板、１５  点検口、１６  点検口蓋、２１  水栓、２２  足側の面、２３  鏡、２４  収納棚、２５  シャワー、２６  カウンター、２７  人工照明、１０１  住宅、１０２  光ダクト、１０３  採光部、１０４  排気管、Ｌ  外光、Ｖ  方向
【図１】
2008082091.tif 000003
【図２】
2008082091.tif 000004
【図３】
2008082091.tif 000005
【図４】
2008082091.tif 000006
【図５】
2008082091.tif 000007